(57)【特許請求の範囲】
【請求項１】
取付けプレートにケースカバーを装着して形成されたケース内に、施錠装置の錠操作に応じて作動する作動機構を内装可能に構成してなる引手装置であって、
前記取付けプレートは、戸体への取付け片と該取付け片から折曲された張り出し片とによって部材の収容スペースが形成される本体収容部と、前記張り出し片の端縁から下方に折曲された手掛け片によって形成される手掛け部とから構成されると共に、
前記ケースカバーを、前記本体収容部と手掛け部とを前記手掛け片と対向離間した状態で覆うよう形成せしめて取付けプレートに装着し、
前記収容スペースを、手掛け部領域にまで至らしめて、本体収容部と手掛け部の何れの領域にも跨る部材の収容を可能に構成してあることを特徴とする戸体の引手装置。
【請求項２】
請求項１において、前記本体収容部と手掛け部領域の収容スペースには、前記作動機構に回動可能に連動連結されて、施錠装置の施錠状態と解錠状態とをそれぞれ切換え表示する表示プレートを、それぞれの領域に跨って配設してあることを特徴とする戸体の引手装置。
【請求項３】
請求項１または２において、前記取付けプレートには、さらに、前記取付け片の両側から前記手掛け片の幅よりも膨出する腕部と、該腕部の下端部から折曲するケースカバーを取り付けるための固定片とを形成すると共に、前記ケースカバーを、前記手掛け部背面側で前記張り出し片の裏面側を臨めるよう、前記手掛け片の幅よりも前記両側面を膨出させて底面を形成せしめ、該底面を介して前記固定片に装着してあることを特徴とする戸体の引手装置。
【発明の詳細な説明】
【０００１】
【発明の属する技術分野】
本発明は、トイレ用ドア等に設けられる引手装置の技術分野に属し、特にラッチ錠などと共に設けられる引手装置に関するものである。
【０００２】
【従来の技術】
一般に、この種引手装置は、ビル、公共などのトイレ用ドアの施錠装置としてスライドラッチ錠と共に用いられ、ドアを開閉するための手掛け部を設ける必要がある。
すなわち、従来の引手装置１Ａは、図６に示すように、ドアへの取付けプレート２Ａとケースカバー３Ａとから構成されており、この取付けプレート２Ａは、ドアへの取付け片２１Ａと該取付け片から折曲された張り出し片２２Ａとによって形成される本体収容部２Ｂと、前記張り出し片２２Ａの端縁から折曲された手掛け片２３Ａによって形成される手掛け部２Ｃとから構成される一方、ケースカバー３Ａは、前記本体収容部２Ｂに装着され、これにより形成されるケース内部に施錠装置の錠操作に応じて作動する表示プレート４Ａ等の部材を内装するようになっていた。
【０００３】
このため、近年においてはトイレ用のものであっても玄関用のものと同様、その外観形態にデザイン性の向上が求められているものの、前記手掛け部２Ｃは、取付けプレート２Ａの折曲片である手掛け片２３Ａが外観露出しており、また、ケースカバー３Ａは、断面略Ｌ字状の本体収容部２Ｂに適合した形状としなければならず、これら構造上の要因がデザイン性の向上を妨げ、形状のバリエーション化を阻むという問題点を有していた。
しかも、前記表示プレート４Ａ等の部材を内装するケース内部は、前記手掛け部を除く本体収容部のみであったため、錠操作に応じて施錠と解錠との使用状態表示を行う回転式の表示プレート４Ａを配設する場合、非常解錠孔４Ｃなどその回転軸芯を前記本体収容部２Ｂの中心に配設しなければならないなどの設計上の制約があって、表示プレート４Ａ自体の回転径を大きく設定できず、ケースカバー３Ｃの表示窓部４Ｂも大きくできないという不都合を生じ、その状態確認がし難いという問題があった。
【０００４】
【発明が解決しようとする課題】
本発明は、上記の如き問題点を一掃すべく創案されたものであって、取付けプレートに手掛け片が形成されたものでありながら、ケースカバーを、手掛け片の存在に殆ど影響を受けることなく、デザイン設計の自由度を向上せしめた外観に形成できるようになり、取付けプレート４０１を共通なものとして、種々の変化性に富んだ形状、大きさのものとすることができ、バリエーション化を容易なものとすることができる。しかも、手掛け部を含む取付けプレート全体の領域を部材等の収容領域として有効に活用することを可能にし、大径の表示プレートの配設や表示窓部を大きくして施錠・解錠の状態を極めて見やすいものとし得るなどの利点を有する引手装置を提供することを課題としている。
【０００５】
【課題を解決するための手段】
上記課題を解決するために本発明が採用した技術手段は、取付けプレートにケースカバーを装着して形成されたケース内に、施錠装置の錠操作に応じて作動する作動機構を内装可能に構成してなる引手装置であって、前記取付けプレートは、戸体への取付け片と該取付け片から折曲された張り出し片とによって部材の収容スペースが形成される本体収容部と、前記張り出し片の端縁から下方に折曲された手掛け片によって形成される手掛け部とから構成されると共に、前記ケースカバーを、前記本体収容部と手掛け部とを前記手掛け片と対向離間した状態で覆うよう形成せしめて取付けプレートに装着し、前記収容スペースを、手掛け部領域にまで至らしめて、本体収容部と手掛け部の何れの領域にも跨る部材の収容を可能に構成してあることを特徴とするものである。
【０００６】
【発明の実施の形態】
以下、本発明の実施の形態を好適な実施の形態として例示する引手装置を図面に基づいて詳細に説明する。図面において、１はトイレ等のドア２に取付けられる施錠装置を構成するスライドラッチ錠であって、該スライドラッチ錠１は、ドア２の室内側面に取り付けられる錠本体１０１と、該錠本体１０１に左右方向スライド自在に装着され、断面略Ｃ字状のラッチ体１０２とで構成され、ラッチ体１０２のスライド操作でドア枠３側に設けたラッチ受け３０１に対して係合、係脱して施錠、解錠が行われるようになっている。そして、前記錠本体１０１には、ドア２内に挿入されるナット脚１０３と、ラッチ体１０２の前記Ｃ字状端縁に設けられた直線状の歯合部に歯車を介して歯合し（図示しない）、ラッチ体１０２のスライド操作に応じて回動する板状の回転軸１０４とが設けられており、これらスライドラッチ錠１の基本構成は従来のスライドラッチ錠と略同じである。
【０００７】
４は前記スライドラッチ錠１のドア２の室外側対向面に設けられる引手装置であって、該引手装置４は、取付けプレート４０１と該取付けプレート４０１に装着されるケースカバー４０２とから構成される。取付けプレート４０１は、ドア２に面当てされる取付け片４０３、該取付け片４０３の上端側に延出折曲された上部折曲片４０５と下端側に延出折曲されて下方に湾曲した張り出し片４０４、および、該張り出し片４０４の端縁から下方に延出折曲された手掛け片４０６を有し、さらに、前記取付け片４０３の両側には前記手掛け片４０６の幅よりも膨出する腕部４０３ａ、４０３ａが形成されており、その腕部４０３ａの下端部から折曲するケースカバー４０２を取り付けるための固定片４０４ａが金属板により一体的に折曲形成されている。なお、４０３ｂは前記ナット脚１０３に取付けビス５を螺入し、前記取付けプレート４０１をドア２に取付けするための取付け孔であり、４０３ｃは前記回転軸１０４に連動連結されて後述する作動機構６を構成する連結軸管６０１の挿通孔である。
そして、取付け片４０３と張り出し片４０４によって、緊急解錠杆６０２や表示プレート６０５等の部材を収容するスペースとしての本体収容部４ａが形成され、また、張り出し片４０４と手掛け片４０６によって手掛け部４ｂが形成されることとなる。
【０００８】
一方、前記ケースカバー４０２は、前記本体収容部４ａと手掛け部４ｂとをその前面、上面、両側面で覆うよう形成し、かつ手掛け部４ｂの背面側で前記張り出し片４０４の裏面側を臨めるよう底面４０２ｃを形成せしめ、前記手掛け片４０６の幅よりも両側面を膨出して形成せしめて、この底面４０２ｃと前記固定片４０４ａとをビス等所定の固着具によって固定することで、取付けプレート４０１に対して前記手掛け片４０６と所定スペースを存して対向離間せしめた状態で組付されるようになっている。
これにより、ケースカバー４０２を取付けプレート４０１に組付けした際に、本体収容部４ａに形成された収容スペースを、手掛け部４ｂの領域にまで至らしめて、これら何れの領域にも跨る部材等の収容ができるよう構成されることとなり、また、ドア２を開閉する際には、前記手掛け片４０６に指先を掛けて行い、直接ケースカバー４０２に負荷が加わらない構造となっている。
【０００９】
６はスライドラッチ錠１の施錠・解錠操作に応じて作動する作動機構であって、該作動機構６は、連結軸管６０１、緊急解錠杆６０２、仕切板６０３、歯車６０４、表示プレート６０５等の部材により構成され、連結軸管６０１は、前記板状の回転軸１０４に対し適合する管内形状をもち、回転軸１０４に嵌挿することで連動連結されている。緊急解錠杆６０２は、基端部が前記軸管６０１に連結され、その基端縁に歯状部６０２ａ、中間に太径の規制部６０２ｂ、先端縁に凹状部６０２ｃがそれぞれ形成されており、凹状部６０２ｃの先端を、ケースカバー４０２に穿設された緊急解錠口４０２ａより僅かに突出させている。つまり、何らかの理由で室内側からの解錠ができない緊急時においては、前記緊急解錠口４０２ａからドライバー等を凹状部６０２ｃに挿入して回転操作すことにより室外側からでも解錠することができるようになっている。なお、本実施例にあっては、ラッチ体１０２のスライドストロークが約５０ｍｍに設定されており、緊急解錠杆６０２を１回転半することで解錠が行われる。
また、仕切板６０３は、上部折曲片４０５と張り出し片４０４間に凸部４０５ａを介して挟持されており、この仕切板６０３とケースカバー４０２間に表示プレート６０５が組み込まれており、表示プレート６０５は、内輪に歯状部が形成された筒状脚６０５ａと、赤と青の色違いのシールが貼れたドーナツ状の表示部６０５ｂが一体成形されている。そして、筒状脚６０５ａと前記歯状部６０２ａとが歯車６０４を介して一体回動するよう構成されており、前記ケースカバー４０２の表示プレート６０５の一側面を臨む位置に形成された表示窓４０２ｂから、前記色違いのシールが見えるようになっており、ラッチ体１０２のスライド操作で表示プレート６０５が半回転し、施錠時には赤色シールが、解錠時には青色シールが表示されて、使用中か否かの状態表示が行われるようになっている。
【００１０】
叙述の如く構成された本発明の実施の形態において、引手装置４の取付けプレート４０１には、手掛け片４０６が設けられているものでありながら、ケースカバー４０２を、前記本体収容部４ａと手掛け部４ｂとをその前面、上面、両側面で覆うよう形成して前記取付けプレート４０１に装着するよう構成し、本体収容部４ａと手掛け部４ｂの何れの領域にも部材等を収容できるよう構成してあるので、従来引手機能のみであった手掛け部４ｂにおいて、ケースカバー４０２と手掛け片４０６とを対向離間して装着できるようになり、その結果、両者間に部材等を収容するスペースが必要に応じて任意に確保することができ、手掛け部４ｂに収容機能をも具備せしめ、取付けプレート４０１全体の領域を有効利用に活用することができると共に、ケースの中心に作動機構６を構成する緊急解錠杆６０２や表示プレート６０５等の部材を配置させ、かつ大径の表示プレート６０２の配設や表示窓４０２ｂを大きくし得るなどの利点がある。
【００１１】
しかも、ケースカバー４０２は、手掛け部４ｂの背面側で前記張り出し片４０４の裏面側を臨めるよう底面４０２ｃを形成せしめて前記手掛け片４０６の幅よりも前記両側面を膨出すべく構成してあるので、前記ケースカバー４０２を、前記本体収容部４ａと手掛け部４ｂとを覆うよう構成したことによる作用効果と相まって、ケースカバー４０２の外観を、手掛け片４０６の存在に殆ど影響を受けることなく、長方形状のものはもとより、実施例に示す如きの楕円形状のものとし、或いは、緊急解錠口４０２ａをその中心部に配置でき、全体をシンメトリーなものとすることができるなど、自由度の高いデザイン設計が行えるようになるばかりか、取付けプレート４０１を共通にして、種々の変化性に富んだ形状、大きさのものとすることができ、バリエーション化を容易なものとすることができる。
【００１２】
また、ドア２の開閉に際しては、手掛け片４０６に指先を掛けて行い、直接ケースカバー４０２に負荷が加わらない構造となっているので、ケースカバー４０２の強度を必要以上に高める必要が無く、鋳物成型品は勿論、プラスチック等樹脂成型品としても提供することができる。
【００１３】
また、手掛け部４ｂには、前記手掛け片４０６とケースカバー４０２とを対向離間せしめてスペース確保がなされた構成となっており、ここに表示プレート６０５の表示部６０５ｂが配設されているので、表示部６０５ｂ自体を大径のものとすることができ、表示窓４０２ｂを大きくすることができので、施錠・解錠状態を示す色違いシールの確認が遠方からも視認でき、使用中か否かの状態確認がし易いという利点がある。
【００１４】
また、取付けプレート４０１とケースカバー４０２とは、前記底面４０２ｃを介して取着されているので、例え手掛け片４０６があっても、ケースカバー４０２を、従来と同様に、単に取付けプレート４０１に対して被せるだけの簡単な構造にて取着することができ、ケースカバー４０２の外観を、手掛け片４０６の存在に殆ど影響を受けることなくデザイン変更できるなどの利点がある。
なお、本発明の引手装置は、ドアのみならず引戸等戸体全般に採用できるものであり、また、スライドラッチ錠に代えてカマ錠等所定の施錠装置に採用できるものであることは勿論である。
【００１５】
【発明の効果】
本発明は、取付けプレート４０１にケースカバー４０２を装着して形成されたケース内に、施錠装置１の錠操作に応じて作動する作動機構６を内装可能に構成してなる引手装置４であって、前記取付けプレート４０２は、戸体２への取付け片４０３と該取付け片４０３から折曲された張り出し片４０４とによって部材等の収容スペースが形成される本体収容部４ａと、前記張り出し片４０４の端縁から下方に折曲された手掛け片４０６によって形成される手掛け部４ｂとから構成されると共に、前記ケースカバー４０２を、前記本体収容部４ａと手掛け部４ｂとを前記手掛け片４０６と所定スペースを存して対向離間した状態で覆うよう形成せしめて取付けプレート４０１に装着し、前記収容スペースを、手掛け部４ｂの領域にまで至らしめて、本体収容部４ａと手掛け部４ｂの何れの領域にも跨る部材の収容を可能に構成してあることにより、
取付けプレート４０１に手掛け片４０６が形成されたものでありながら、ケースカバー４０２を、手掛け片４０６の存在に殆ど影響を受けることなく、デザインの自由度を向上せしめた外観に形成できるようになり、取付けプレート４０１を共通なものとして、種々の変化性に富んだ形状、大きさのものとすることができ、バリエーション化を容易なものとすることができる。しかも、本体収容部４ａだけでなく、手掛け部４ｂを含む取付けプレート４０１全体の領域を部材等の収容スペース領域として有効に活用することを可能にし、それぞれの領域に跨る大径の表示プレート６０５の配設や表示窓部４０２ｂを大きくして施錠・解錠の状態を極めて見やすいものとし得るなどの利点を有する。
【図面の簡単な説明】
【図１】  施錠装置の取付け状態を示す断面図。
【図２】  引手装置の正面図。
【図３】  引手装置の中央縦断面図。
【図４】  引手装置の背面図。
【図５】  取付けプレートの背面図。
【図６】  従来の引手装置の説明図。
【符号の説明】
１        スライドラッチ錠
１０１    錠本体
１０２    ラッチ体
１０３    ナット脚
１０４    回転軸
２        ドア
３        ドア枠３
３０１    ラッチ受け
４        引手装置
４ａ      本体収容部
４ｂ       手掛け部
４０１    取付けプレート
４０２     ケースカバー
４０２ｃ   底面
４０３     取付け片
４０３ａ   腕部
４０４     張り出し片
４０４ａ   固定片
４０５     上部折曲片
４０５ａ  凸部
４０６     手掛け片
５         取付けビス
６        作動機構
６０１    連結軸管
６０２    緊急解錠杆
６０２ａ  歯状部
６０２ｂ  規制部
６０２ｃ  凹状部
６０３    仕切板
６０４    歯車
６０５    表示プレート
６０５ａ  筒状脚
６０２ｂ  表示部
【図１】
0004415289.tif 000002
【図２】
0004415289.tif 000003
【図３】
0004415289.tif 000004
【図６】
0004415289.tif 000005
【図４】
0004415289.tif 000006
【図５】
0004415289.tif 000007